(57)【特許請求の範囲】
【請求項１】
複数のディスクが装填可能であって、装填されたディスクに対して情報の再生または記録を行うディスク装置において、
装填されているディスクの種類を判別するディスク判別部と、このディスク判別部により判別されたディスクの種類を表示する表示部とを備え、
前記表示部は、ディスクの種類を上位分類で表示する第１の表示器群と、ディスクの種類を下位分類で表示する第２の表示器群とからなり、
前記第１の表示器群は、ＣＤやＤＶＤ等のディスク種別に対応して設けられた複数の表示器から構成されていて、それぞれの表示器に対応してディスク種別を表す文字が表示されており、
前記第２の表示器群は、ＲＯＭ，Ｒ，ＲＷ等の記録再生形態に対応して設けられた複数の表示器から構成されていて、それぞれの表示器に対応して記録再生形態を表す文字が表示されており、
前記ディスク判別部で判別されたディスクの種類に基づき、前記第１の表示器群において当該ディスクのディスク種別に対応した表示器を点灯させるとともに、前記第２の表示器群において当該ディスクの記録再生形態に対応した表示器を点灯させ、
前記第１の表示器群の点灯した表示器に対応するディスク種別を示す文字と、前記第２の表示器群の点灯した表示器に対応する記録再生形態を示す文字との組み合わせによって、ディスクの種類を表示することを特徴とするディスク装置。
【請求項２】
請求項１に記載のディスク装置において、
ディスクが装填されていない状態では、前記第１および第２の表示器群のすべての表示器を消灯し、
不正なディスクが装填された場合には、前記第１および第２の表示器群のすべての表示器を点灯することを特徴とするディスク装置。
【発明の詳細な説明】
【０００１】
【発明の属する技術分野】
本発明は、パーソナルコンピュータ（以下パソコンという）等に搭載されてディスクに対する情報の再生または記録を行うディスク装置に関するものである。
【０００２】
【従来の技術】
光ディスクに代表される大容量メディアの多様化に伴い、パソコンにおいても、ＣＤ（Compact Disk），ＣＤ−ＲＯＭ（CD read only memory），ＣＤ−Ｒ（CD recordable），ＣＤ−ＲＷ（CD rewritable）などの各種ディスクを取扱えるドライブが搭載されている。また、最近では、ＤＶＤ（Digital Versatile Disk），ＤＶＤ−Ｒ（DVD recordable），ＤＶＤ−ＲＡＭ（DVD random access memory）などのメディアの普及もめざましく、これらも取扱えるドライブを搭載したパソコンが登場している。
【０００３】
しかしながら、上記のような各種ディスクは外観形状がほとんど同じであって、一見しただけでは区別がつきにくいために、ユーザにおいてしばしば混同が生じて取扱いを誤ることがある。たとえば、ＣＤを再生するつもりでドライブに挿入したディスクが実はＤＶＤであったり、ＣＤ−ＲＷへ記録するつもりでドライブに挿入したディスクが実はＣＤ−Ｒであったりする場合がある。このような間違いをなくすために、従来は、その都度ディスクを取り出して確認するか、あるいは、パソコンにインストールされているソフトウエア（ライティングソフト等）を起動して、モニタ上でディスクの種類を確認するようにしていた。このため、ディスクの種類の確認に手間を要していた。
【０００４】
そこで、ディスクの種類を容易に確認するための手段として、たとえばドライブの前面に、ディスクの種類を示す表示器を設けることが考えられる。特開平１０−２２８７１８号公報には、ＣＤとＤＶＤとを判別するために、それぞれのディスクに対応してＬＥＤ（発光ダイオード）を設け、ＣＤまたはＤＶＤが装填された場合に、それぞれに対応するＬＥＤを点灯させることによって、ディスクの種類を確認できるようにした光ディスク装置が記載されている。これによれば、いちいちディスクを取り出したり、モニタ上でディスクの種類を確認しなくても、装填されているディスクがＣＤかＤＶＤかを、ＬＥＤの点灯によって簡単に確認することができる。
【０００５】
【発明が解決しようとする課題】
しかしながら、上記公報のものでは、取扱うディスクの種類が少ない場合は問題ないが、冒頭で述べたような多くの種類のディスクを取扱う場合には、それぞれのディスクごとに表示器を設ける必要があり、表示器の数が増えてコストが高くなるとともに、表示スペースも多く必要とするという問題がある。
【０００６】
本発明は、このような問題点を解決するものであって、ディスクの種類が増えても表示器の数が少なくてすみ、表示スペースも節約することが可能なディスク装置を提供することを課題としている。
【０００７】
【課題を解決するための手段】
上記課題を解決するために、本発明は、ディスクの種類を上位分類で表示する第１の表示器群と、ディスクの種類を下位分類で表示する第２の表示器群とを設ける。上位分類とは、たとえばＣＤやＤＶＤという大きな区分によるディスク種別を表す分類であり、下位分類とは、たとえばＲＯＭ，Ｒ，ＲＷ等の記録再生形態を表す分類である。第１の表示器群は、ＣＤやＤＶＤ等のディスク種別に対応して設けられた複数の表示器から構成されていて、それぞれの表示器に対応してディスク種別を表す文字が表示されている。第２の表示器群は、ＲＯＭ，Ｒ，ＲＷ等の記録再生形態に対応して設けられた複数の表示器から構成されていて、それぞれの表示器に対応して記録再生形態を表す文字が表示されている。そして、判別されたディスクの種類に基づき、第１の表示器群において当該ディスクのディスク種別に対応した表示器を点灯させるとともに、第２の表示器群において当該ディスクの記録再生形態に対応した表示器を点灯させ、第１の表示器群の点灯した表示器に対応するディスク種別を示す文字と、第２の表示器群の点灯した表示器に対応する記録再生形態を示す文字との組み合わせによって、ディスクの種類を表示する。
【０００８】
本発明では、ディスクが装填されていない状態で、第１および第２の表示器群のすべての表示器を消灯するとともに、取扱い対象外のディスクのような不正なディスクが装填された場合に、第１および第２の表示器群のすべての表示器を点灯するようにしてもよい。
【０００９】
以上のように、第１の表示器群の点灯した表示器に対応するディスク種別（上位分類）を示す文字と、第２の表示器群の点灯した表示器に対応する記録再生形態（下位分類）を示す文字との組み合わせによってディスクの種類を表示することで、表示器はディスクの種類の数だけ設ける必要がなくなり、表示器の個数と表示スペースとを低減することができる。
【００１０】
【発明の実施の形態】
図１は、本発明に係るディスク装置の一例を示す正面図である。ここでは、ディスク装置として、パソコンに搭載されるディスクドライブを例に挙げている。図において、１はディスクドライブで、その前面にはディスクが挿入されるディスク挿入口２が設けられている。３は本発明の要部をなす表示部であって、複数個のＬＥＤ３１〜３５から構成されている。この表示部３の詳細については後述する。４はイヤホンを接続するためのイヤホンジャック、５は音量を調節するためのボリューム、６はディスクにアクセスが行われている場合に点灯するＬＥＤ、７はディスク挿入口２から内部へ挿入されたディスクを取り出すためのイジェクトボタンである。このディスクドライブ１は、複数種類のディスクが装填可能であって、装填されたディスクに対して情報の再生または記録を行うようになっている。
【００１１】
表示部３は、ディスクの種類を上位分類と下位分類とで表示するＬＥＤ群からなり、上位分類を表示するＬＥＤ群は、装填されているディスクがＣＤであることを表示するＬＥＤ３１と、装填されているディスクがＤＶＤであることを表示するＬＥＤ３２とを有している。このため、ＬＥＤ３１の下部には「ＣＤ」、ＬＥＤ３２の下部には「ＤＶＤ」の文字がそれぞれ表示されている。これらのＬＥＤ３１およびＬＥＤ３２は、本発明における第１の表示器群を構成している。
【００１２】
一方、下位分類を表示するＬＥＤ群は、ディスクの記録再生形態に対応して設けられた複数個のＬＥＤ３３〜３５を有している。ＬＥＤ３３は記録再生形態がＲＯＭ（読み出し専用）であることを表示し、ＬＥＤ３４は記録再生形態がＲ（追記可能）であることを表示し、ＬＥＤ３５は記録再生形態がＲＷ（書き換え可能）であることを表示する。このため、ＬＥＤ３３の下部には「ＲＯＭ」、ＬＥＤ３４の下部には「Ｒ」、ＬＥＤ３５の下部には「ＲＷ」の文字がそれぞれ表示されている。これらのＬＥＤ３３〜３５は、本発明における第２の表示器群を構成している。
【００１３】
図２は、ディスクドライブ１の電気的な構成を表したブロック図である。ただし、ここでは本発明に関係するブロックのみを示してある。図において、１０はディスクであって、図１のディスク挿入口２から挿入されてディスクドライブ１に装填される。１１は光ピックアップ等を含んで構成されるディスク読取／書込部であって、装填されたディスク１０に記録されている情報を読み取ったり、ディスク１０に情報を書き込んだりする。１２はディスク判別部であって、ディスク読取／書込部１１が読み取った情報に基づいてディスク１０の種類を判別する。１３は信号処理部であって、ディスク読取／書込部１１が読み取ったディスク１０の情報を再生したり、また、ディスク１０に記録する情報を編集してディスク読取／書込部１１へ送るなどの処理を行なう。３は前述の表示部であって、ディスク判別部１２で判別されたディスク１０の種類を表示する。
【００１４】
図３は、表示部３の電気回路を示している。３１〜３５は図１で示した各ＬＥＤであって、それぞれのカソード側は共通に接続されて接地されており、アノード側の端子Ｔ１〜Ｔ５には、それぞれ個別に駆動信号が与えられるようになっている。この駆動信号は、ディスク判別部１２の判別結果に基づいて端子Ｔ１〜Ｔ５に選択的に与えられ、各ＬＥＤ３１〜３５はこの駆動信号により通電されて発光する。
【００１５】
図４は、ディスクドライブ１の動作を示したフローチャートである。以下、このフローチャートに従って、装填されたディスクの種類を表示する場合の手順について説明する。初期状態においては、表示部３のＬＥＤ３１〜３５はすべて消灯状態にある（ステップＳ１）。続くステップＳ２では、ディスクドライブ１のディスク挿入口２にディスク１０が挿入されたかどうかを判定する。この判定は、たとえばディスク挿入口２の内部に設けられているセンサ（図示省略）の出力に基づいて行なう。ディスク１０が挿入されなければそのまま待機し（ステップＳ２；ＮＯ）、ディスク１０が挿入されると（ステップＳ２；ＹＥＳ）ステップＳ３へ進む。
【００１６】
ステップＳ３では、ディスク判別部１２によって、挿入されたディスク１０の種類を判別する。ディスク１０の種類は、ディスク自身に情報として記録されている。たとえば、ディスク１０がＣＤの場合は、ＴＯＣ（Table of Contents）の所定領域にディスクの種類に関する情報が記録されているので、これをディスク読取／書込部１１が読み取り、その情報に基づいてディスク判別部１２がディスクの種類を判別する。
【００１７】
判別の結果、装填されたディスク１０がＣＤである場合は（ステップＳ４；ＹＥＳ）、図３において端子Ｔ１に駆動信号が与えられ、ＬＥＤ３１が発光する。すなわち、図５（ａ）に示すように、表示部３のＬＥＤ群のうち、ＣＤであることを表示するＬＥＤ３１のみが点灯し（ステップＳ１３）、ＬＥＤ３１に対応するＣＤの文字によってディスクドライブ１に装填されているディスクがＣＤであることを確認することができる。装填されたディスク１０がＣＤでない場合は（ステップＳ４；ＮＯ）、ステップＳ５へ進む。
【００１８】
ステップＳ５では、装填されたディスク１０がＣＤ−ＲＯＭかどうかが判定される。ＣＤ−ＲＯＭである場合は（ステップＳ５；ＹＥＳ）、図３において端子Ｔ１とＴ３とに駆動信号が与えられ、ＬＥＤ３１とＬＥＤ３３が発光する。すなわち、図５（ｂ）に示すように、表示部３のＬＥＤ群のうち、ＣＤであることを表示するＬＥＤ３１と、ＲＯＭであることを表示するＬＥＤ３３とが点灯し（ステップＳ１４）、点灯したＬＥＤ３１に対応するＣＤの文字と、点灯したＬＥＤ３３に対応するＲＯＭの文字との組み合わせによって、ディスクドライブ１に装填されているディスクがＣＤ−ＲＯＭであることを確認することができる。装填されたディスク１０がＣＤ−ＲＯＭでない場合は（ステップＳ５；ＮＯ）、ステップＳ６へ進む。
【００１９】
ステップＳ６では、装填されたディスク１０がＣＤ−Ｒかどうかが判定される。ＣＤ−Ｒである場合は（ステップＳ６；ＹＥＳ）、図３において端子Ｔ１とＴ４とに駆動信号が与えられ、ＬＥＤ３１とＬＥＤ３４が発光する。すなわち、図５（ｃ）に示すように、表示部３のＬＥＤ群のうち、ＣＤであることを表示するＬＥＤ３１と、Ｒであることを表示するＬＥＤ３４とが点灯し（ステップＳ１５）、点灯したＬＥＤ３１に対応するＣＤの文字と、点灯したＬＥＤ３４に対応するＲの文字との組み合わせによって、ディスクドライブ１に装填されているディスクがＣＤ−Ｒであることを確認することができる。装填されたディスク１０がＣＤ−Ｒでない場合は（ステップＳ６；ＮＯ）、ステップＳ７へ進む。
【００２０】
ステップＳ７では、装填されたディスク１０がＣＤ−ＲＷかどうかが判定される。ＣＤ−ＲＷである場合は（ステップＳ７；ＹＥＳ）、図３において端子Ｔ１とＴ５とに駆動信号が与えられ、ＬＥＤ３１とＬＥＤ３５が発光する。すなわち、図５（ｄ）に示すように、表示部３のＬＥＤ群のうち、ＣＤであることを表示するＬＥＤ３１と、ＲＷであることを表示するＬＥＤ３５とが点灯し（ステップＳ１６）、点灯したＬＥＤ３１に対応するＣＤの文字と、点灯したＬＥＤ３５に対応するＲＷの文字との組み合わせによって、ディスクドライブ１に装填されているディスクがＣＤ−ＲＷであることを確認することができる。装填されたディスク１０がＣＤ−ＲＷでない場合は（ステップＳ７；ＮＯ）、ステップＳ８へ進む。
【００２１】
ステップＳ８では、装填されたディスク１０がＤＶＤかどうかが判定される。ＤＶＤである場合は（ステップＳ８；ＹＥＳ）、図３において端子Ｔ２に駆動信号が与えられ、ＬＥＤ３２が発光する。すなわち、図６（ａ）に示すように、表示部３のＬＥＤ群のうち、ＤＶＤであることを表示するＬＥＤ３２のみが点灯し（ステップＳ１７）、ＬＥＤ３２に対応するＤＶＤの文字によってディスクドライブ１に装填されているディスクがＤＶＤであることを確認することができる。装填されたディスク１０がＤＶＤでない場合は（ステップＳ８；ＮＯ）、ステップＳ９へ進む。
【００２２】
ステップＳ９では、装填されたディスク１０がＤＶＤ−ＲＯＭかどうかが判定される。ＤＶＤ−ＲＯＭである場合は（ステップＳ９；ＹＥＳ）、図３において端子Ｔ２とＴ３とに駆動信号が与えられ、ＬＥＤ３２とＬＥＤ３３が発光する。すなわち、図６（ｂ）に示すように、表示部３のＬＥＤ群のうち、ＤＶＤであることを表示するＬＥＤ３２と、ＲＯＭであることを表示するＬＥＤ３３とが点灯し（ステップＳ１８）、点灯したＬＥＤ３２に対応するＤＶＤの文字と、点灯したＬＥＤ３３に対応するＲＯＭの文字との組み合わせによって、ディスクドライブ１に装填されているディスクがＤＶＤ−ＲＯＭであることを確認することができる。装填されたディスク１０がＤＶＤ−ＲＯＭでない場合は（ステップＳ９；ＮＯ）、ステップＳ１０へ進む。
【００２３】
ステップＳ１０では、装填されたディスク１０がＤＶＤ−Ｒかどうかが判定される。ＤＶＤ−Ｒである場合は（ステップＳ１０；ＹＥＳ）、図３において端子Ｔ２とＴ４とに駆動信号が与えられ、ＬＥＤ３２とＬＥＤ３４が発光する。すなわち、図６（ｃ）に示すように、表示部３のＬＥＤ群のうち、ＤＶＤであることを表示するＬＥＤ３２と、Ｒであることを表示するＬＥＤ３４とが点灯し（ステップＳ１９）、点灯したＬＥＤ３２に対応するＤＶＤの文字と、点灯したＬＥＤ３４に対応するＲの文字との組み合わせによって、ディスクドライブ１に装填されているディスクがＤＶＤ−Ｒであることを確認することができる。装填されたディスク１０がＤＶＤ−Ｒでない場合は（ステップＳ１０；ＮＯ）、ステップＳ１１へ進む。
【００２４】
ステップＳ１１では、装填されたディスク１０がＤＶＤ−ＲＷかどうかが判定される。ＤＶＤ−ＲＷである場合は（ステップＳ１１；ＹＥＳ）、図３において端子Ｔ２とＴ５とに駆動信号が与えられ、ＬＥＤ３２とＬＥＤ３５が発光する。すなわち、図６（ｄ）に示すように、表示部３のＬＥＤ群のうち、ＤＶＤであることを表示するＬＥＤ３２と、ＲＷであることを表示するＬＥＤ３５とが点灯し（ステップＳ２０）、点灯したＬＥＤ３２に対応するＤＶＤの文字と、点灯したＬＥＤ３５に対応するＲＷの文字との組み合わせによって、ディスクドライブ１に装填されているディスクがＤＶＤ−ＲＷであることを確認することができる。
【００２５】
装填されたディスク１０がＤＶＤ−ＲＷでもない場合は（ステップＳ１１；ＮＯ）、図７に示したように、表示部３のすべてのＬＥＤ３１〜３５を点灯させる（ステップＳ１２）。これによって、ディスク１０がディスクドライブ１のサポートしていない不正なディスク（たとえばＤＶＤ−ＲＡＭ）であることを確認することができる。この場合、ＬＥＤ３１〜３５の発光色を通常時とは異ならせて、たとえば赤色で点灯するようにしてもよい。あるいは、発光色はそのままにして点滅表示させてもよい。
【００２６】
図８は本発明の他の実施形態を示している。ここでは、表示部３における下位分類を表示するＬＥＤ群に、ＲＡＭであることを表示するＬＥＤ３６と、＋を表示するＬＥＤ３７と、−を表示するＬＥＤ３８とが追加されている。その他の構成は図１と同じであり、図１と同一部分には同一符号を付してある。図８のディスクドライブ１は、ＤＶＤ−ＲＡＭやＤＶＤ＋ＲＷ等もサポートしており、たとえばＤＶＤ＋ＲＷが装填されている場合は、図のようにＬＥＤ３２と、ＬＥＤ３７と、ＬＥＤ３５とが点灯し、点灯した各ＬＥＤに対応するＤＶＤ、＋、ＲＷの各文字の組み合わせによって、ディスクがＤＶＤ＋ＲＷであることを確認できる。また、ＤＶＤ−ＲＷが装填されている場合は、ＬＥＤ３２，３８，３５が点灯し、ＤＶＤ−ＲＡＭが装填されている場合は、ＬＥＤ３２，３６が点灯する。
【００２７】
本発明は、上述した実施形態の他にも種々の形態を採用することができる。たとえば、上記実施形態においては、表示器としてＬＥＤを用いているが、これに代えてランプを用いてもよい。また、ディスクドライブ１が取り扱うディスクの種類としては、先に挙げたもののほかにも、たとえば、音楽・映像・文字・プログラム等が記録され対話形式で操作が可能なＣＤ−Ｉ（CD Interactive）や、音声とともにカラー静止画が再生できるＣＤ−Ｇ（CD Graphics）、動画を圧縮記録して音声とともに再生できるＣＤ−Ｖ（CD Video）など、あらゆるディスクが対象となる。
【００２８】
また、上記実施形態においては、ディスク再生装置として、パソコンに搭載されるディスクドライブを例に挙げたが、本発明は音楽や映像を記録再生するＡＶ（Audio Video）機器にも適用することができる。
【００２９】
【発明の効果】
本発明によれば、第１の表示器群の点灯した表示器に対応するディスク種別を示す文字と、第２の表示器群の点灯した表示器に対応する記録再生形態を示す文字との組み合わせでディスクの種類を表示するようにしたので、ディスクの種類の数だけ表示器を設ける必要がなく、部品点数を削減してコストダウンを図れるとともに、表示スペースも低減できる効果がある。
【図面の簡単な説明】
【図１】本発明に係るディスクドライブの一例を示す正面図である。
【図２】ディスクドライブのブロック図である。
【図３】表示部の電気回路を示す図である。
【図４】ディスクドライブの動作を示したフローチャートである。
【図５】ディスクの種類に応じた表示パターンを示した図である。
【図６】ディスクの種類に応じた表示パターンを示した図である。
【図７】ディスクが不正な場合の表示パターンを示した図である。
【図８】本発明の他の実施形態を示す正面図である。
【符号の説明】
１  ディスクドライブ
３  表示部
１０  ディスク
１１  ディスク読取／書込部
１２  ディスク判別部
３０〜３５  ＬＥＤ
【図１】
0004569036.tif 000002
【図２】
0004569036.tif 000003
【図３】
0004569036.tif 000004
【図４】
0004569036.tif 000005
【図５】
0004569036.tif 000006
【図６】
0004569036.tif 000007
【図７】
0004569036.tif 000008
【図８】
0004569036.tif 000009